(57)【特許請求の範囲】
【請求項１】
オペレータの指が引っ掛けられる凸状の引っ掛け部が形成されて回動軸回りに回動可能に保持されるスイッチ部材であって、
前記引っ掛け部のベース面は湾曲凸面にされ、
前記湾曲凸面は、引っ掛けられた前記指の引っ張り移動方向側では曲率半径が徐々に大きくなる面にされている、ことを特徴とするスイッチ部材。
【請求項２】
前記ベース面の外面側に滑り止め部が形成されている、ことを特徴とする請求項１に記載のスイッチ部材。
【請求項３】
請求項１又は２に記載のスイッチ部材を備えた、ことを特徴とするパワーウィンド用スイッチ。
【発明の詳細な説明】
【技術分野】
【０００１】
本発明は、オペレータの指が引っ掛けられる凸状の引っ掛け部が形成された回動可能なスイッチ部材及びそれを備えたパワーウィンド用スイッチに関する。
【背景技術】
【０００２】
近年、多くの自動車にはパワーウィンドが搭載されている。このパワーウィンドには、オペレータが指で開閉の操作を行うためのパワーウィンド用スイッチが設けられている。
【０００３】
パワーウィンド用スイッチには、オペレータの指が引っ掛けられる凸状の引っ掛け部が形成されたスイッチ部材がドア内側に配置されている。このスイッチ部材は、上記の引っ掛け部が指に引っ張られることによって回動移動するように取付けられている（例えば特許文献１〜３参照）。
【０００４】
しかし、操作中に指がスイッチ部材から外れる場合があるという問題が生じていた。なお、この問題は、爪を長く延ばしている場合に特に頻繁に生じていた。
【０００５】
この対策として、指を入れる抉り部を深く形成することが考えられるが、スイッチ構成が大型化するという難点がある。
【特許文献１】特開２０００−２００５２２号公報
【特許文献２】登録実用新案第２５７１５７８号公報
【特許文献３】実公平８−２８９８号公報
【発明の開示】
【発明が解決しようとする課題】
【０００６】
本発明は、上記事実を考慮して、大型化させなくても確実に操作できる使い勝手の良いスイッチ部材、及びそれを備えたパワーウィンド用スイッチを提供することを課題とする。
【課題を解決するための手段】
【０００７】
請求項１に記載の発明は、オペレータの指が引っ掛けられる凸状の引っ掛け部が形成されて回動軸回りに回動可能に保持されるスイッチ部材であって、前記引っ掛け部のベース面は湾曲凸面にされ、前記湾曲凸面は、引っ掛けられた前記指の引っ張り移動方向側では曲率半径が徐々に大きくなる面にされている、ことを特徴とする。
【０００８】
ベース面とは、滑り止め部などを除いた基本形状における面のことである。この曲率半径は、連続的に大きくなっていてもよいし、段階的に大きくなっていてもよい。また、ベース面が、近似円弧を順次繋いだ面であってもよい。
【０００９】
請求項１に記載の発明では、ベース面のうち指が当接する部位は、操作開始時では曲率半径が大きいので緩やかであり、引張り操作するにつれて曲率半径が小さくなるので急峻になる。従って、操作開始時には指にソフトな感触を与え、引張り操作終了時では指が引っ掛け部から外れ難い構成のスイッチ部材とすることができる。従って、大型化させなくても確実に操作できる使い勝手の良いスイッチ部材とすることができる。
【００１０】
なお、上記回動軸に直交する断面で湾曲凸面の曲率中心を繋いだ線がインボリュート曲線を描いていて、当接する指の指先に近づくほどこのインボリュート曲線の曲率半径が小さくなっていると、よりスムーズな感触を指に与え易い。
【００１１】
請求項２に記載の発明は、前記ベース面の外面側に滑り止め部が形成されている、ことを特徴とする。
【００１２】
これにより、操作中に引っ掛け部から指が更に外れにくくなる。
【００１３】
請求項３に記載の発明は、請求項１又は２に記載のスイッチ部材を備えた、ことを特徴とする。
【００１４】
これにより、パワーウィンドを確実に操作できる使い勝手の良いパワーウィンド用スイッチとすることができる。
【発明の効果】
【００１５】
本発明は上記構成としたので、以下の効果を奏することができる。
【００１６】
請求項１に記載の発明によれば、大型化させなくても確実に操作できる使い勝手の良いスイッチ部材とすることができる。
【００１７】
請求項２に記載の発明によれば、操作中に引っ掛け部から指が更に外れにくくなる。
【００１８】
請求項３に記載の発明によれば、パワーウィンドを確実に操作できる使い勝手の良いパワーウィンド用スイッチとすることができる。
【発明を実施するための最良の形態】
【００１９】
以下、実施形態を挙げ、本発明の実施の形態について説明する。図１、図２に示すように、本発明の一実施形態に係るスイッチ部材１０は、パワーウィンド用スイッチを構成する部材である。
【００２０】
このスイッチ部材１０には、搭乗者の指（主として人差し指）Ｆが引っ掛けられる凸状の引っ掛け部１２が形成されており、引っ掛け部１２が指Ｆで後方ＲＵ（引張り移動方向であり、ＵＰの方向）へ引っ張られることや前方ＲＤ（押し出し移動方向であり、ＤＯＷＮの方向）へ押し出されることによって、スイッチ部材１０が回動軸１４の回りに回動移動するようになっている。
【００２１】
引っ掛け部１２の指側のベース面１６は湾曲凸面にされている。しかも、このベース面１６は、前方側（ＲＤ側）から後方側（ＲＵ側）にかけて、図３に示すように、曲率半径ｒが徐々に大きくなるような面にされている。また、この曲率半径ｒの半径中心を繋いだ線２０、すなわち、ベース面１６の曲率中心を繋いだ線２０は、当接する指Ｆの指先に近づくほど、意匠面に接近するインボリュート曲線の軌跡を描いている。そして、当接する指Ｆの指先に近づくほどこのインボリュート曲線の曲率半径が小さくなっている。
【００２２】
この構成により、ベース面１６のうち指Ｆが当接する当接部２２は、操作開始時では曲率半径が大きいので緩やかであり、操作するにつれて曲率半径が小さくなるので急峻になる。
【００２３】
従って、操作開始時には指Ｆにソフトな感触が与えられる。また、引張り操作の終了時では、引っ掛け部１２が引き上げられる。このため、引っ掛け部１２から指Ｆが外れ難い。従って、スイッチ部材１０を水平に引くことによって確実にスイッチ部材１０を引き上げることができ、指Ｆが引っ掛け部１２から外れるなどの操作ミスが生じない。
【００２４】
以上説明したように、本実施形態では、ベース面１６が上記のような面にされており、しかもベース面１６の曲率中心を繋いだ線２０がインボリュート曲線を描いている。これにより、大型化させなくても確実に操作できる使い勝手の良いスイッチ部材１０が実現される。また、指Ｆを入れるために従来のような抉り部をスイッチ部材１０に形成する必要はない。
【００２５】
＜実施例＞
以下、上記実施形態の実施例を挙げ、本発明をより詳細に説明する。図４に示すように、本実施例のパワーウィンド用スイッチ３０では、ベース面１６の指側（表面側）に滑り止め部３２が形成されている。この滑り止め部３２には、回動軸１４に沿った山谷が交互に形成されており、回動軸１４に直交する断面ではギザギザ状にされている。
【００２６】
これにより、指Ｆによる後方ＲＵへの引張り、前方ＲＤへの押圧の何れの操作中であっても、引っ掛け部１２から指Ｆが更に外れにくくなっている。
【００２７】
本実施例では、回動軸１４から当接部２２の中央である中央当接部２２Ｃまでの距離は２０ｍｍである。そして、ベース面１６の前方先端部１６Ｓ（図２参照）の曲率半径ｒは５．０〜７．５ｍｍの範囲内にされている。この結果、引張り操作の終了時では、指Ｆの当接位置はベース面１６の前方先端部１６Ｓの近くにまで移動し、引っ掛け部１２と指Ｆとの間に適度な押圧力が作用するようになっている。なお、本実施例では、後方ＲＵへの引張り、前方ＲＤへの押圧の何れの操作であっても、スイッチ部材１０に作用する操作荷重は５Ｎ程度である。
【００２８】
本実施例では、引っ掛け部１２の回動可能角度は、力が与えられていないニュートラル位置を中心として、前方、後方とも同じ角度にされている。以下、パワーウィンド用スイッチ３０を構成するオート式のスイッチ部材１０Ａとマニュアル式のスイッチ部材１０Ｍとの両者について、この回動可能角度を説明する。
【００２９】
スイッチ部材１０Ａ及びスイッチ部材１０Ｍの何れであっても、ニュートラル位置における中央当接部２２Ｃと回動軸１４とを結ぶ平面Ｎは水平面Ｈに対して６５度の角度をなす。
【００３０】
スイッチ部材１０Ａでは、マニュアル操作（指Ｆをスイッチ部材１０Ａから離すとウィンドの開閉が直ちにストップする操作）となる回動角度範囲は、ニュートラル位置から前方、後方とも１０°までである。また、オート操作（指Ｆをスイッチ部材１０Ａから離してもウィンドが完全に開又は閉になるまで作動し続ける操作）となる回動角度範囲は、オート操作の終了位置から前方、後方とも更に６°までである。
【００３１】
一方、スイッチ部材１０Ｍでは、回動角度範囲は、ニュートラル位置から前方、後方とも１４°までである。
【００３２】
本実施例により、操作し易いパワーウィンド用スイッチ３０とすることができる。
【００３３】
以上、実施形態を挙げて本発明の実施の形態を説明したが、上記実施形態は一例であり、要旨を逸脱しない範囲内で種々変更して実施できる。また、本発明の権利範囲が上記実施形態に限定されないことは言うまでもない。
【図面の簡単な説明】
【００３４】
【図１】本発明の一実施形態に係るスイッチ部材の構成を示す模式的な側面図である。
【図２】図２（Ａ）及び（Ｂ）は、それぞれ、本発明の一実施形態に係るスイッチ部材で、ニュートラル時（非操作時）、及び、引き上げ時における指の当接状態を示す模式的な側面図である。
【図３】本発明の一実施形態に係るスイッチ部材で、ベース面の曲率中心を繋げた曲線がインボリュート曲線であることを示す模式的な側面図である。
【図４】実施例で説明するスイッチ部材の平面図である。
【符号の説明】
【００３５】
１０    スイッチ部材
１０Ａ  スイッチ部材
１０Ｍ  スイッチ部材
１２    引っ掛け部
１４    回動軸
１６    ベース面
３０    パワーウィンド用スイッチ
３２    滑り止め部
ｒ      曲率半径
【図１】
0004528681.tif 000002
【図２】
0004528681.tif 000003
【図３】
0004528681.tif 000004
【図４】
0004528681.tif 000005